【事件の表示】
　平成　５年特許願第　４１７０６号「メモリ制御装置」拒絶査定に対する審判事件［平成　６年　８月２３日出願公開、特開平　６−２３７３４８］について、次のとおり審決する。
【結　論】
　本件審判の請求は、成り立たない。
【理　由】
１．手続きの経緯・本願発明
　本願は、平成５年２月８日に出願されたものであって、その請求項１，２に係る発明は、平成１２年７月２８日付け及び平成１４年３月２０日付けの手続補正によって補正された明細書及び図面の記載からみて、特許請求の範囲の請求項１，２に記載されたとおりのものと認められるところ、請求項１に係る発明（以下、「本願発明」という。）は、次のとおりのものである。
　
　「【請求項１】複数の入力部から入力される複数の異なる機能に関するジョブの情報を情報蓄積メモリに蓄積する動作を行うメモリ制御装置において、
　前記情報蓄積メモリのメモリ残量を検出するメモリ残量検出手段と、
　前記複数の異なる機能に関するジョブに対応してメモリ残量のしきい値を設定したしきい値記憶手段と、
　前記メモリ残量検出手段で検出された前記情報蓄積メモリのメモリ残量が前記各しきい値よりも少ない場合に、前記しきい値記憶手段に記憶された各しきい値に対応する機能に関するジョブの情報を前記情報蓄積メモリへ蓄積する動作を規制するジョブ規制手段とを具備したことを特徴とするメモリ制御装置。」
　
２．引用刊行物
　これに対して、当審の拒絶の理由で引用した　特開平４−３４８６５８号公報（平成４年１２月３日出願公開）（以下、「引用例１」という。）には、図面と共に次の各記載がある。
　
（ア）「【００１６】
【実施例】図１は本発明の第１実施例の機能ブロック図である。同図において、通信制御手段１０は通信回線に接続され、他のファクシミリ装置との画情報の送受信を制御する。記録手段１１は、通信制御手段１０に入力された画情報を記録紙に記録する。記録紙検出手段１２は、記録手段１１に備えられている記録紙の残量を検出し、検出結果を通信制御手段１０および蓄積判定手段１８に出力する。画像メモリ１５には、通信制御手段１０に入力された画情報が一時的に蓄積される。
【００１７】メモリ残量検出手段１７は、画像メモリ１５のメモリ残量を検出し、検出結果を蓄積判定手段１８に出力する。識別情報検出手段１３は、画情報と共に相手局から送信される識別情報を検出する。識別情報記憶手段１６には、蓄積を許可する相手局の識別情報が予め記憶されている。
【００１８】検索手段１４は、前記識別情報検出手段１３で検出された識別情報を、前記識別情報記憶手段１６に記憶されている識別情報の中から検索し、検索結果を蓄積判定手段１８に出力する。蓄積判定手段１８は、前記記録紙検出手段１２によって記録紙の残量が不足していると判定されると、メモリ残量検出手段１７による検出結果および検索手段１４による検索結果に基づいて、画情報の蓄積許可あるいは蓄積禁止を通信制御手段１０に指示する。
【００１９】図５は図１の動作を説明するためのフローチャートである。ステップＳ１０において、通信制御手段１０が画情報の着信を検出すると、ステップＳ１１では、記録紙検出手段１２によって記録手段１１の記録紙の残量が検出される。記録紙が十分にあれば、ステップＳ１２では記録手段１１によって画情報が記録紙に記録される。また、前記ステップＳ１１において記録紙が不足していると判定されると、ステップＳ１３では、識別情報検出手段１３によって相手局の識別情報が検出される。
【００２０】識別情報とは、各局にそれぞれ与えられた互いに異なる符号や番号であり、例えば電話番号が識別情報に相当する。
【００２１】ステップＳ１４では、メモリ残量検出手段１７によって画像メモリ１５のメモリ残量が検出され、検出結果が蓄積判定手段１８に出力される。メモリ残量が基準量ｋより多ければ、蓄積判定手段１８が通信制御手段１０に蓄積を許可するので、ステップＳ１７において画情報が画像メモリ１５に蓄積される。
【００２２】また、メモリ残量が基準量ｋより少ないと、ステップＳ１５では、検索手段１４によって、前記識別情報検出手段１３で検出された相手局の識別情報が前記識別情報記憶手段１６に記憶された多数の識別情報を対象に検索され、検索結果が蓄積判定手段１８に出力される。
【００２３】ステップＳ１６では前記検索結果が参照され、検索が成功すなわち前記検出された識別情報が識別情報記憶手段１６に記憶されていれば、蓄積判定手段１８が通信制御手段１０に蓄積を許可するので、ステップＳ１７において画情報が画像メモリ１５に蓄積される。
【００２４】また、検索できなかった場合には、蓄積判定手段１８によって画情報の蓄積が禁止されるので、画情報は蓄積されずに当該処理は終了する。
【００２５】本実施例によれば、記録紙が無くなって代行受信を行う場合、画像メモリの残量が少なくなると、識別情報記憶手段１６に記憶された識別情報を有する相手局からの画情報のみが画像メモリに蓄積される。したがって、重要な相手局あるいは緊急性を要する画情報を送信する相手局などの識別情報を予め識別情報記憶手段１６に記憶しておけば、このような特定の相手からの画情報を選択的に蓄積できるようになる。」（第３頁右欄段落【００１６】〜第４頁左欄段落【００２５】）
　
（イ）「【００３８】図３は本発明の第３実施例の機能ブロック図であり、前記と同一の符号は同一または同等部分を表している。同図において、優先度決定手段２３は、図９に示したような、識別情報と優先度Ｍａとの対応関係を表したデータテーブルを有し、識別情報検出手段１３で検出された識別情報に応答した優先度Ｍａを比較手段２２に出力する。
【００３９】優先度出力手段２４は、画情報の蓄積が許可される基準値として予め登録されている基準優先度Ｍｂを比較手段２２に出力する。比較手段２２は、優先度Ｍａと基準優先度Ｍｂとを比較し、比較結果を蓄積判定手段２５に出力する。
【００４０】蓄積判定手段２５は、前記比較結果およびメモリ残量検出手段１７による検出結果に基づいて、通信制御手段１０に蓄積許可あるいは禁止を指示する。
【００４１】図７は、図３の動作を説明するためのフローチャートである。なお、ステップＳ４０からステップＳ４３までの各処理は、前記ステップＳ１０からステップＳ１３までの各処理と同様なので、その説明は省略する。
【００４２】ステップＳ４４では、メモリ残量検出手段１７によって画像メモリ１５のメモリ残量が検出される。メモリ残量が基準量ｋより多ければ、ステップＳ４７において前記画情報が画像メモリ１５に蓄積される。
【００４３】また、メモリ残量が基準量ｋよりも少なければ、ステップＳ４５では、優先度決定手段２３が、前記検出された識別情報に応答した優先度Ｍａを前記図９に示したデータテーブルに基づいて求めて比較手段２２に出力する。
【００４４】ステップＳ４６では、比較手段２２が優先度Ｍａと基準優先度Ｍｂとを比較し、優先度Ｍａが優先度Ｍｂよりも上位（優先度Ｍａ＞優先度Ｍｂ）であれば、ステップＳ４７において画情報が画像メモリ１５に蓄積される。また、優先度Ｍａが優先度Ｍｂよりも下位であれば、画情報は蓄積されずに当該処理は終了する。
【００４５】本実施例によれば、予定の優先度より高い優先度が与えられた相手局から送信された画情報のみが選択的に蓄積されるので、画像メモリを有効に活用できるようになり、特定の相手からの画情報を選択的に蓄積できるようになる。」（第５頁左欄段落【００３８】〜同頁右欄段落【００４５】）
　
（ウ）「【００４６】図４は本発明の第４実施例の機能ブロック図であり、前記と同一の符号は同一または同等部分を表している。同図において、優先度判定手段２７は、図１０に示したような、メモリ残量と優先度の閾値Ｍthとの対応関係を示したデータテーブルを有し、メモリ残量検出手段１７による検出結果を入力し、メモリ残量に応じた優先度の閾値Ｍthを比較手段２８に出力する。
【００４７】比較手段２８は、優先度決定手段２３から出力された相手局の優先度Ｍａと前記優先度判定手段２７から出力された優先度の閾値Ｍthとを比較し、比較結果を蓄積判定手段２６に出力する。蓄積判定手段２６は、前記比較結果に基づいて、通信制御手段１０に蓄積の許可あるいは禁止を指示する。
【００４８】図８は図４の動作を説明するためのフローチャートである。なお、ステップＳ５０からステップＳ５３までの各処理は、前記ステップＳ１０からステップＳ１３までの各処理と同様なので、その説明は省略する。
【００４９】ステップＳ５４では、優先度決定手段２３によって、前記検出された識別情報に応答した優先度Ｍａが比較手段２８に出力される。
【００５０】ステップＳ５５では、メモリ残量検出手段１７によって画像メモリ１５のメモリ残量が検出される。ステップＳ５６では、優先度判定手段２７が前記検出されたメモリ残量に応答した優先度の閾値Ｍthを、前記図１０に示したデータテーブルに基づいて判定して比較手段２８に出力する。
【００５１】ステップＳ５７では、比較手段２８によって前記優先度Ｍａと閾値Ｍthとが比較され、優先度Ｍａが閾値Ｍthを上回っていれば、ステップＳ５８において画情報が画像メモリに蓄積される。また、優先度Ｍａが閾値Ｍthを下回っていれば、画情報は蓄積されずに当該処理は終了する。
【００５２】本実施例によれば、メモリ残量に基づいて定まる優先度の閾値Ｍthより高い優先度が与えられた相手局から送信された画情報が優先的に蓄積される。したがって、メモリ残量が少なくなるにつれて、より優先度の高い相手局からの画情報のみが蓄積を許可されるので、画像メモリを有効に活用できるようになり、特定の相手からの画情報を優先的に蓄積できるようになる。」（第５頁右欄段落【００４６】〜【００５２】）
　
（エ）「【００５６】
【発明の効果】以上の説明から明らかなように、本発明によれば、次のような効果が達成される。
(1) 代行受信時に画像メモリの残量が少なくなると、予め登録された識別情報を有する相手局からの画情報を、選択的あるいは優先的に蓄積するようにしたので、重要な相手局などの識別情報を予め登録しておけば、このような特定の相手からの画情報を選択的あるいは優先的に蓄積できるようになり、画像メモリを有効活用できるようになる。
(2) 各相手局を優先度で区別し、予定の優先度以上の相手局からの画情報のみを選択的に画像メモリに蓄積するようにしたので、優先度の高い特定の相手からの画情報を選択的に受信できるようになり、画像メモリを有効活用できるようになる。」（第６頁左欄段落【００５６】）
　　　　
　以上の記載からみて、引用例１には、次のような発明が記載されている。
　「画像メモリ１５と、
　画情報と共に受信される相手局の識別情報を検出する識別情報検出手段１３と、
　画像メモリ１５のメモリ残量を検出するメモリ残量検出手段１７と、
　メモリ残量と優先度の閾値Ｍthとの対応関係を示したデータテーブルを有し、メモリ残量検出手段１７による検出結果を入力し、メモリ残量に応じた優先度の閾値Ｍthを出力する優先度判定手段２７と、
　優先度決定手段２３から出力された相手局の優先度Ｍaと前記優先度判定手段２７から出力された優先度の閾値Ｍthとを比較し、比較結果を蓄積判定手段２６へに出力する比較手段２８と、
　前記比較手段２８による比較結果に基づいて、前記画情報の蓄積を許可あるいは禁止する蓄積判定手段２６と、
　を具備したことを特徴とするファクシミリ装置。」
　
３．対比
　本願発明と引用例１に記載された発明とを対比すると、両者は、
（一致点）
　「複数の入力部からの情報をメモリに蓄積する動作を行う装置において、
　前記メモリのメモリ残量を検出するメモリ残量検出手段と、
　しきい値を設定したしきい値記憶手段と、
　前記メモリ残量検出手段で検出された前記メモリのメモリ残量に応じて複数の入力部からの情報を前記メモリに蓄積する動作を規制する規制手段と、
　を具備したことを特徴とする装置。」
である点で一致し、次の各点で相違する。
（相違点）
（相違点１）
　本願発明は、メモリ制御装置に関する発明であるのに対して、引用例１に記載された発明は、ファクシミリ装置である点。
　　
（相違点２）
　情報を蓄積するメモリが、本願発明は、情報蓄積メモリであるのに対して、引用例１に記載された発明は、画像メモリである点。
　
（相違点３）
　複数の入力部からの情報が、本願発明は、複数の機能に関するジョブの情報であるのに対して、
　引用例１に記載された発明は、優先度の異なる複数の相手局からのファクシミリ画情報である点。
　
（相違点４）
　しきい値記憶手段について、本願発明は、複数の機能に関するジョブに対応してメモリ残量のしきい値を設定した記憶手段であるのに対して、引用例１に記載された発明は、メモリ残量と優先度の閾値Ｍthとの対応関係を示すデータテーブルである点。
　
（相違点５）
　メモリへの蓄積動作を規制する手段が、本願発明は、メモリ残量検出手段で検出された前記情報蓄積メモリのメモリ残量が前記各しきい値よりも少ない場合に、前記しきい値記憶手段に記憶された各しきい値に対応する機能に関するジョブの情報を前記情報蓄積メモリへ蓄積する動作を規制するジョブ規制手段であるのに対して、引用例１に記載された発明は、優先度決定手段２３から出力された相手局の優先度Ｍaと優先度判定手段２７から出力された優先度の閾値Ｍthとを比較手段２８で比較し、前記比較手段２８による比較結果に基づいて、前記画像メモリ１５への前記画情報の蓄積を許可あるいは禁止する蓄積判定手段２６である点。
　
４．当審の判断
　上記相違点について判断する。
（相違点１について）
　引用例１には、メモリ制御装置とは明記されてはいないが、複数の相手局から送信されてくる受信画情報を画像メモリ１５に蓄積するに際し、相手局の優先度Ｍaと、画像メモリ１５のメモリ残量のしきい値と一対一に対応する優先度の閾値Ｍthとを比較手段に入力し、相手局の優先度Ｍaと閾値Ｍthとを比較し、優先度Ｍaが閾値Ｍthを上回っていれば、画情報を画像メモリ１５に蓄積し、また優先度Ｍaが閾値Ｍthを下回っていれば、画情報を画像メモリ１５に蓄積しないように画像メモリ１５の蓄積動作を制御することが記載されているから、引用例１に記載された発明は、メモリ制御を行っていることは明かであり、引用例１に記載された発明にはメモリ制御装置に相当するものがあることは明白である。
　
（相違点２について）
　本願明細書の記載によれば、本願発明が、情報蓄積メモリ２に蓄積する情報は、原稿を複写した情報、ファクシミリ受信した情報、及びファクシミリ送信のための情報である。他方、引用例１に記載された発明が、画像メモリ１５に蓄積する情報は、ファクシミリ通信にて相手局から送信された画情報である。然るに、本願発明では、複写時もファクシミリ送信時も、原稿をスキャンしてメモリに蓄積することに鑑みれば、両発明がメモリに蓄積する情報は、共にファクシミリ通信に係る情報であるといえる。そうすると、両発明においては、蓄積する情報内容は同じでメモリの名称が相違するだけであり、本願発明のように使用するメモリを情報蓄積メモリと命名するか又は引用例１に記載された発明のように画像メモリと命名するかは、当業者が適宜なし得ることである。
　
（相違点３について）
　本願明細書の記載によれば、本願発明の複数の機能に関するジョブの情報とは、原稿を複写した情報、ファクシミリ受信した情報、及びファクシミリ送信のための情報である。然るに、相違点２についての判断で述べたように、この点では、本願発明と引用例１に記載された発明とは、格別の差異を有するものではない。したがって、複数の入力部からの情報を、複数の機能に関するジョブの情報とするか又は優先度の異なる複数の相手局からのファクシミリ画情報とするかは、当業者が適宜なし得ることである。
　
（相違点４について）
　当審の拒絶の理由で引用した特開平４−２０７５７４号公報（平成４年７月２９日出願公開）には、通信バッファ６のデータ量Ｚに関し、２つのジョブそれぞれに対応して２つの閾値ＺｘとＺｙとが設定され、送信状態で、しかも通信バッファ６に蓄積されている未送信のデータ量Ｚが、Ｚ＜Ｚｘのときは、ジョブ０処理モードとなり、ファイルメモリ３から読み出されたデータが通信バッファ６へ書き込まれ蓄積処理され、そしてファイルメモリ３への蓄積処理は規制され、Ｚ＜Ｚｙのときは、ジョブ１処理モードとなり、画像読み取り手段１で読み取ったデータがファイルメモリ３に書き込まれ蓄積処理され、そして通信バッファ６への蓄積処理は規制され、Ｚｘ≦Ｚ≦Ｚｙのときには、ジョブ０とジョブ１との交互処理モードとなり、通信バッファ６への書き込み蓄積処理とファイルメモリ３への書き込み蓄積処理とが時分割的に並行処理され、また、受信状態で、しかも通信バッファ５７のデータ量Ｚが、Ｚｙ＜Ｚのときは、ジョブ０処理モードとなり、通信バッファ５７から読み出されたデータがファイルメモリ５８へ書き込み蓄積処理され、Ｚ＜Ｚｘのときは、ジョブ１処理モードとなり、プリントアウト処理等が行われ、Ｚｘ≦Ｚ≦Ｚｙのときは、ジョブ０とジョブ１との交互処理モードとなり、通信バッファ５７からの読み取り処理とプリントアウト処理等が時分割的に並行処理されるようにメモリに対するアクセス動作を制御するファクシミリ装置が記載されている。そして、未送信のデータ量とは、メモリの残量に直接関連する量のことである。このようにメモリ残量とジョブとを対応付けることが周知であり、また引用例１にはメモリ残量と優先度の閾値との対応関係を示したデータテーブルが開示されているから、複数のジョブに対応してメモリ残量のしきい値を設定したしきい値記憶手段を設けるようにすることは、当業者が適宜なし得ることである。
　
（相違点５について）
　引用例１に記載された発明においては、優先度の閾値Ｍthは、画像メモリ１５の各メモリ残量のしきい値に一対一に対応して設定されており、この優先度の閾値Ｍthより小さい優先度Ｍaを有する複数の入力部からの情報は、画像メモリ１５へは蓄積されず、優先度の閾値Ｍthより大きい優先度Ｍaを有する複数の入力部からの情報が画像メモリ１５へ蓄積されるのであるから、結果として、メモリ残量のしきい値より大きいしきい値を有する複数の入力からの情報のみが画像メモリ１５に記憶されるものであるといえる。そうすると、相違点４における判断で述べたようにメモリ残量とジョブとを対応付けることが周知であるから、本願発明の如くメモリ残量検出手段で検出された前記情報蓄積メモリのメモリ残量が前記各しきい値よりも少ない場合に、前記しきい値記憶手段に記憶された各しきい値に対応する機能に関するジョブの情報を前記情報蓄積メモリへ蓄積する動作を規制するようにすることは、当業者が適宜なし得ることである。
　　
５．むすび
　以上のとおり、本願発明は、引用例１に記載された発明及び周知技術とに基いて当業者が容易に発明をすることができたものであるから、特許法第２９条第２項の規定により特許を受けることができない。
　よって、結論のとおり審決する。